(57)【要約】【課題】監視対象機器を新たに追加しても、現地のデータ収集装置の改修作業を軽減できる遠隔監視システムを提供する。【解決手段】遠隔監視システム１は、監視対象機器が設置される現場区域Ａ、Ｂ、Ｃに配置され、監視対象機器が、運転状態に応じて出力するデータ列を収集する現地データ収集装置２１０、２２０、２３０と、現地データ収集装置２１０、２２０、２３０から、データ列を収集する中央データ収集装置１０と、を備え、中央データ収集装置１０は、監視対象機器の機種別の変換ツールを格納する変換ツール格納部１１２と、データ列に関連する変換ツールを用いて、データ列を表示形式データに変換する変換処理部１１３と、を備える。【選択図】図２
2018074507.tif 000002
【特許請求の範囲】
【請求項１】
監視対象機器が設置される現場区域に配置され、前記監視対象機器が、運転状態に応じて出力するデータ列を収集する現地データ収集装置と、
前記現地データ収集装置から、前記データ列を収集する中央データ収集装置と、
を備え、
前記中央データ収集装置は、前記監視対象機器の機種別の変換ツールを格納する変換ツール格納部と、前記データ列に関連する前記変換ツールを用いて、前記データ列を表示形式データに変換する変換処理部と、を備える遠隔監視システム。
【請求項２】
前記中央データ収集装置が収集する前記データ列のデータ形式は、前記監視対象機器の出力形式である請求項１に記載の遠隔監視システム。
【請求項３】
前記表示形式データは、文字又はグラフである請求項１又は２に記載の遠隔監視システム。
【請求項４】
前記変換ツールは、データ変換テーブル及び計算式を備える請求項１から３のいずれか一項に記載の遠隔監視システム。
【請求項５】
前記現地データ収集装置は、前記データ列を格納する現地データ列格納部をさらに備え、
前記現地データ列格納部は、前記データ列を蓄積し、所定時間間隔で前記データ列を前記中央データ収集装置に送信する請求項１から４のいずれか一項に記載の遠隔監視システム。
【請求項６】
監視対象機器が設置される現場区域に配置された現地データ収集装置から、前記監視対象機器が、運転状態に応じて出力するデータ列を収集する中央データ収集装置であって、
前記監視対象機器の機種別の変換ツールを格納する変換ツール格納部と、
前記データ列に関連する前記変換ツールを用いて、前記データ列を表示形式データに変換する変換処理部と、
を備える中央データ収集装置。
【請求項７】
監視対象機器が設置される現場区域に配置され、前記監視対象機器が、運転状態に応じて出力するデータ列を収集する現地データ収集装置であって、
前記データ列を格納し、中央データ収集装置に前記データ列を送信する現地データ列格納部と、
前記中央データ収集装置が、前記監視対象機器の機種別の変換ツールを用いて、前記データ列を変換した表示形式データを受信する表示形式データ受信部と、
を備える現地データ収集装置。
【請求項８】
監視対象機器が設置される現場区域に配置された現地データ収集装置が、前記監視対象機器が、運転状態に応じて出力するデータ列を収集する現地データ収集ステップと、
中央データ収集装置が、前記現地データ収集装置から、前記データ列を収集する中央データ収集ステップと、
前記中央データ収集装置が、前記監視対象機器の機種別の変換ツールのうち、前記データ列に関連する前記変換ツールを用いて、前記データ列を表示形式データに変換するデータ変換ステップと、
を有する遠隔監視方法。
【請求項９】
監視対象機器が設置される現場区域に配置された現地データ収集装置から、前記監視対象機器が、運転状態に応じて出力するデータ列を収集する中央データ収集装置のコンピュータを、
前記監視対象機器の機種別の変換ツールを格納する変換ツール格納部、及び
前記データ列に関連する前記変換ツールを用いて、前記データ列を表示形式データに変換する変換処理部、
として機能させるプログラム。
【請求項１０】
監視対象機器が設置される現場区域に配置され、前記監視対象機器が、運転状態に応じて出力するデータ列を収集する現地データ収集装置のコンピュータを、
前記データ列を格納し、中央データ収集装置に前記データ列を送信する現地データ列格納部、及び
前記中央データ収集装置が、前記監視対象機器の機種別の変換ツールを用いて、前記データ列を変換した表示形式データを受信する表示形式データ受信部、
として機能させるプログラム。
【発明の詳細な説明】
【技術分野】
【０００１】
本発明は、遠隔監視システム、中央データ収集装置、現地データ収集装置、遠隔監視方法及びプログラムに関する。
【背景技術】
【０００２】
現在、空調機の運転監視システムとして、空調機の運転データを、遠隔地のデータ収集装置に送り、遠隔監視するシステムが知られている。
【０００３】
これに関連する技術として、特許文献１には、空調機がある現地の空調管理装置で空調機の運転データを収集して空調機を監視すると共に、現地から遠隔地にある遠隔監視端末でも、空調機を監視する監視システムが開示されている。
同じくこれに関連する技術として、特許文献２にも、空調機がある現地の監視装置で、空調機の運転データを収集して空調機を監視すると共に、現地から遠隔地にあるセンター装置でも、空調機を監視する監視システムが開示されている。
【先行技術文献】
【特許文献】
【０００４】
【特許文献１】国際公開第２００９／１１８８７７号
【特許文献２】特開２００２−０８９９４１号公報
【発明の概要】
【発明が解決しようとする課題】
【０００５】
特許文献１及び特許文献２の遠隔監視システムでは、現地にある空調機のデータを遠隔監視できる。しかし、当該システム導入後、空調機や空調機以外の給湯器や冷凍機といった監視対象機器を新たに追加する度に、現地のデータ収集装置を追加した監視対象機器に対応させるため、現地のデータ収集装置の改修作業が負担となる場合がある。
【０００６】
そこで、本発明は、監視対象機器を新たに追加しても、現地のデータ収集装置の改修作業を軽減できる遠隔監視システムを提供することを目的とする。
【課題を解決するための手段】
【０００７】
第１の態様の遠隔監視システムは、監視対象機器が設置される現場区域に配置され、前記監視対象機器が、運転状態に応じて出力するデータ列を収集する現地データ収集装置と、前記現地データ収集装置から、前記データ列を収集する中央データ収集装置と、を備え、前記中央データ収集装置は、前記監視対象機器の機種別の変換ツールを格納する変換ツール格納部と、前記データ列に関連する前記変換ツールを用いて、前記データ列を表示形式データに変換する変換処理部と、を備える。
【０００８】
本態様によれば、遠隔監視システムは、監視対象機器が出力するデータ列を、現地データ収集装置ではなく、中央データ収集装置で、表示形式データに変換する。すなわち、遠隔監視システムは、中央データ収集装置で、監視対象機器に関する情報の解釈を行う。
このため、現地において監視対象機器の機種を増やしたり、新機種の監視対象機器を追加したりしても、中央データ収集装置の改修作業で対応することができるため、遠隔監視システムは、現地データ収集装置の改修作業を軽減できる。
また、データ列を表示形式データに変換する変換ツールを、中央データ収集装置で一元管理することができるので、遠隔監視システムは、新機種の追加、監視対象機器の機種の増加に、短時間に効率良く対応できる。
さらに、現地データ収集装置と中央データ収集装置の間の通信データは、解釈される前の生の工学値であるため、たとえ傍受されたとしても解釈が困難であり、遠隔監視システムは、情報漏洩のリスクを低減できる。
【０００９】
第２の態様の遠隔監視システムは、前記中央データ収集装置が収集する前記データ列のデータ形式が、前記監視対象機器の出力形式である。
【００１０】
本態様によれば、中央データ収集装置は、監視対象機器が出力するデータ列を、監視対象機器の出力形式のまま収集するため、現地データ収集装置でデータ列のデータ形式を変換する必要がない。したがって、現地において監視対象機器の機種を増やしたり、新機種の監視対象機器を追加したりしても、現地データ収集装置ではデータ形式の変換を行わないので、遠隔監視システムは、現地データ収集装置の改修作業を軽減できる。
【００１１】
第３の態様の遠隔監視システムは、前記表示形式データが、文字又はグラフである。
【００１２】
本態様によれば、遠隔監視システムは、中央データ収集装置において、データ列を、文字又はグラフを表示する際に適した形式データに変換する。したがって、遠隔監視システムは、文字又はグラフを表示するのに適している。
【００１３】
第４の態様の遠隔監視システムは、前記変換ツールが、データ変換テーブル及び計算式を備える。
【００１４】
本態様によれば、遠隔監視システムは、データ列から表示形式データへの変換に、データ変換テーブル及び計算式を用いるため、データ量の少ないデータ列から、多くの情報を有する表示形式データを取得することができる。したがって、遠隔監視システムは、短い通信時間でありながら多くの情報を中央データ収集装置に送信することができる。
【００１５】
第５の態様の遠隔監視システムは、前記現地データ収集装置が、前記データ列を格納する現地データ列格納部をさらに備え、前記現地データ列格納部は、前記データ列を蓄積し、所定時間間隔で前記データ列を前記中央データ収集装置に送信する。
【００１６】
本態様によれば、遠隔監視システムは、蓄積されたデータ列を所定時間間隔で現地データ収集装置から中央データ収集装置に送信することができる。したがって、現地データ収集装置から中央データ収集装置にデータ列を転送できない時間帯があっても、遠隔監視システムは、転送できない時間帯において、現地データ収集装置にデータ列を蓄積しておくことができる。そして、遠隔監視システムは、当該転送できない時間帯の後に、現地データ収集装置から中央データ収集装置にデータ列を送信することができる。
【００１７】
第６の態様の中央データ収集装置は、監視対象機器が設置される現場区域に配置された現地データ収集装置から、前記監視対象機器が、運転状態に応じて出力するデータ列を収集する中央データ収集装置であって、前記監視対象機器の機種別の変換ツールを格納する変換ツール格納部と、前記データ列に関連する前記変換ツールを用いて、前記データ列を表示形式データに変換する変換処理部と、を備える。
【００１８】
本態様によれば、監視対象機器が出力するデータ列を、現地データ収集装置ではなく、中央データ収集装置が、表示形式データに変換する。すなわち、中央データ収集装置が、監視対象機器に関する情報の解釈を行う。
このため、現地において監視対象機器の機種を増やしたり、新機種の監視対象機器を追加したりしても、中央データ収集装置の改修作業で対応することができるため、中央データ収集装置は、現地データ収集装置の改修作業を軽減できる。
また、データ列を表示形式データに変換する変換ツールを、中央データ収集装置で一元管理することができるので、中央データ収集装置は、新機種の追加、監視対象機器の機種の増加に、短時間に効率良く対応できる。
さらに、現地データ収集装置と中央データ収集装置の間の通信データは、解釈される前の生の工学値であるため、たとえ傍受されたとしても解釈が困難であり、中央データ収集装置は、情報漏洩のリスクを低減できる。
【００１９】
第７の態様の現地データ収集装置は、監視対象機器が設置される現場区域に配置され、前記監視対象機器が、運転状態に応じて出力するデータ列を収集する現地データ収集装置であって、前記データ列を格納し、中央データ収集装置に前記データ列を送信する現地データ列格納部と、前記中央データ収集装置が、前記監視対象機器の機種別の変換ツールを用いて、前記データ列を変換した表示形式データを受信する表示形式データ受信部と、を備える。
【００２０】
本態様によれば、監視対象機器が出力するデータ列を、現地データ収集装置ではなく、中央データ収集装置が、表示形式データに変換する。すなわち、中央データ収集装置が、監視対象機器に関する情報の解釈を行う。
このため、現地において監視対象機器の機種を増やしたり、新機種の監視対象機器を追加したりしても、中央データ収集装置の改修作業で対応することができるため、現地データ収集装置の改修作業は、軽減される。
また、データ列を表示形式データに変換する変換ツールを、中央データ収集装置で一元管理することができるので、現地データ収集装置は、新機種の追加、監視対象機器の機種の増加に、短時間に効率良く対応できる。
また、現地データ収集装置から中央データ収集装置に送信される通信データは、解釈される前の生の工学値であるため、たとえ傍受されたとしても解釈が困難であり、現地データ収集装置は、情報漏洩のリスクを低減できる。
さらに、現地データ収集装置ではなく、中央データ収集装置によって、監視対象機器が出力するデータ列から変換された表示形式データを、現地データ収集装置が受信する。
したがって、利用者は、各現場区域において、監視対象機器に関する情報を解釈することができる。
【００２１】
第８の態様の遠隔監視方法は、監視対象機器が設置される現場区域に配置された現地データ収集装置が、前記監視対象機器が、運転状態に応じて出力するデータ列を収集する現地データ収集ステップと、中央データ収集装置が、前記現地データ収集装置から、前記データ列を収集する中央データ収集ステップと、前記中央データ収集装置が、前記監視対象機器の機種別の変換ツールのうち、前記データ列に関連する前記変換ツールを用いて、前記データ列を表示形式データに変換するデータ変換ステップと、を有する。
【００２２】
本態様によれば、監視対象機器が出力するデータ列を、現地データ収集装置ではなく、中央データ収集装置で、表示形式データに変換する。すなわち、遠隔監視方法は、中央データ収集装置で、監視対象機器に関する情報の解釈を行う。
このため、現地において監視対象機器の機種を増やしたり、新機種の監視対象機器を追加したりしても、中央データ収集装置の改修作業で対応することができるため、遠隔監視方法は、現地データ収集装置の改修作業を軽減できる。
また、データ列を表示形式データに変換する変換ツールを、中央データ収集装置で一元管理することができるので、遠隔監視方法は、新機種の追加、監視対象機器の機種の増加に、短時間に効率良く対応できる。
さらに、現地データ収集装置と中央データ収集装置の間の通信データは、解釈される前の生の工学値であるため、たとえ傍受されたとしても解釈が困難であり、遠隔監視方法は、情報漏洩のリスクを低減できる。
【００２３】
第９の態様のプログラムは、監視対象機器が設置される現場区域に配置された現地データ収集装置から、前記監視対象機器が、運転状態に応じて出力するデータ列を収集する中央データ収集装置のコンピュータを、前記監視対象機器の機種別の変換ツールを格納する変換ツール格納部、及び前記データ列に関連する前記変換ツールを用いて、前記データ列を表示形式データに変換する変換処理部、として機能させる。
【００２４】
本態様によれば、監視対象機器が出力するデータ列を、現地データ収集装置ではなく、中央データ収集装置が、表示形式データに変換する。すなわち、中央データ収集装置が、監視対象機器に関する情報の解釈を行う。
このため、現地において監視対象機器の機種を増やしたり、新機種の監視対象機器を追加したりしても、中央データ収集装置の改修作業で対応することができるため、中央データ収集装置は、現地データ収集装置の改修作業を軽減できる。
また、データ列を表示形式データに変換する変換ツールを、中央データ収集装置で一元管理することができるので、中央データ収集装置は、新機種の追加、監視対象機器の機種の増加に、短時間に効率良く対応できる。
さらに、現地データ収集装置と中央データ収集装置の間の通信データは、解釈される前の生の工学値であるため、たとえ傍受されたとしても解釈が困難であり、中央データ収集装置は、情報漏洩のリスクを低減できる。
【００２５】
第１０の態様のプログラムは、監視対象機器が設置される現場区域に配置され、前記監視対象機器が、運転状態に応じて出力するデータ列を収集する現地データ収集装置のコンピュータを、前記データ列を格納し、中央データ収集装置に前記データ列を送信する現地データ列格納部、及び前記中央データ収集装置が、前記監視対象機器の機種別の変換ツールを用いて、前記データ列を変換した表示形式データを受信する表示形式データ受信部、として機能させる。
【００２６】
本態様によれば、監視対象機器が出力するデータ列を、現地データ収集装置ではなく、中央データ収集装置が、表示形式データに変換する。すなわち、中央データ収集装置が、監視対象機器に関する情報の解釈を行う。
このため、現地において監視対象機器の機種を増やしたり、新機種の監視対象機器を追加したりしても、中央データ収集装置の改修作業で対応することができるため、現地データ収集装置の改修作業は、軽減される。
また、データ列を表示形式データに変換する変換ツールを、中央データ収集装置で一元管理することができるので、現地データ収集装置は、新機種の追加、監視対象機器の機種の増加に、短時間に効率良く対応できる。
また、現地データ収集装置から中央データ収集装置に送信される通信データは、解釈される前の生の工学値であるため、たとえ傍受されたとしても解釈が困難であり、現地データ収集装置は、情報漏洩のリスクを低減できる。
さらに、現地データ収集装置ではなく、中央データ収集装置によって、監視対象機器が出力するデータ列から変換された表示形式データを、現地データ収集装置が受信する。
したがって、利用者は、各現場区域において、監視対象機器に関する情報を解釈することができる。
【発明の効果】
【００２７】
本発明の遠隔監視システムは、監視対象機器を新たに追加しても、現地のデータ収集装置の改修作業を軽減できる。
【図面の簡単な説明】
【００２８】
【図１】本発明に係る第一実施形態における遠隔監視システムの概略図である。
【図２】本発明に係る第一実施形態における遠隔監視システムのブロック図である。
【図３】本発明に係る第一実施形態における現地データ収集装置の機能を説明する図である。
【図４】本発明に係る第一実施形態における中央処理部の機能を説明する図である。
【図５】本発明に係る第一実施形態における中央処理部の改修後の機能を説明する図である。
【図６】本発明に係る第二実施形態における遠隔監視システムのブロック図である。
【図７】本発明に係る実施形態における遠隔監視方法のフローチャートである。
【図８】本発明に係る実施形態の変形例における遠隔監視システムのブロック図である。
【発明を実施するための形態】
【００２９】
以下、本発明に係る各種実施形態について、図面を用いて説明する。
【００３０】
＜第一実施形態＞
本発明に係る遠隔監視システムの第一実施形態について、図１〜図５を参照して説明する。
【００３１】
（遠隔監視システムの構成）
図１及び図２に示すように、遠隔監視システム１は、中央データ収集装置１０と、現地データ収集装置２１０、２２０及び２３０と、を備える。中央データ収集装置１０は、現地データ収集装置２１０、２２０及び２３０に対して遠隔地にある。
本実施形態では、中央データ収集装置１０と現地データ収集装置２１０とは、ルータ４１０及び現地インターネットサービスプロバイダー５１０を介して互いに通信可能に接続されている。同様に、中央データ収集装置１０と現地データ収集装置２２０とは、ルータ４２０及び現地インターネットサービスプロバイダー５２０を介して互いに通信可能に接続されている。同様に、中央データ収集装置１０と現地データ収集装置２３０とは、ルータ４３０及び現地インターネットサービスプロバイダー５３０を介して互いに通信可能に接続されている。本実施形態では、中央データ収集装置１０としてクラウドを利用している。
したがって、中央データ収集装置１０には、各現場区域の現地データ収集装置２１０、２２０及び２３０からの監視データが集約される。
【００３２】
本実施形態の遠隔監視システム１は、３つの現地データ収集装置を備えるが、現地データ収集装置は３つに限らず、いくつであってもよい。すなわち、遠隔監視システム１は、１つだけ現地データ収集装置を備えるものでもあってもよいし、２つ又は４つ以上の現地データ収集装置を備えるものであってもよい。
【００３３】
図２に示すように、中央データ収集装置１０は、中央処理部１１と、モニタ１２と、を備える。中央データ収集装置１０は、中央処理部１１において、後述するように各データ列を表示形式データに変換し、モニタ１２において、当該表示形式データに関連する情報を表示する。
【００３４】
（現地データ収集装置の構成）
現地データ収集装置の構成について、図２に沿って詳しく説明する。
現地データ収集装置２１０は、複数の監視対象機器３１０が設置される現場区域Ａに配置され、各監視対象機器３１０と無線又は有線によって通信可能に接続されている。現地データ収集装置２１０は、現地データ列格納部２１１を備える。
現地データ収集装置２２０は、複数の監視対象機器３２０が設置される現場区域Ｂに配置され、各監視対象機器３２０と無線又は有線によって通信可能に接続されている。現地データ収集装置２２０は、現地データ列格納部２２１を備える。
現地データ収集装置２３０は、複数の監視対象機器３３０が設置される現場区域Ｃに配置され、各監視対象機器３３０と無線又は有線によって通信可能に接続されている。現地データ収集装置２３０は、現地データ列格納部２３１を備える。
【００３５】
本実施形態では、後述するプログラムを実行することにより、現地データ収集装置２１０のコンピュータを、現地データ列格納部２１１として機能させている。現地データ収集装置２２０においても同様に、現地データ収集装置２２０のコンピュータを、現地データ列格納部２２１として機能させている。現地データ収集装置２３０においても同様に、現地データ収集装置２３０のコンピュータを現地データ列格納部２３１として機能させている。
【００３６】
複数の監視対象機器３１０、３２０及び３３０は、遠隔監視システム１によって監視される機器であって、各運転データを遠隔監視システム１に送信している。本実施形態では、複数の監視対象機器３１０、３２０及び３３０は、空調機、冷凍機、給湯器、ボイラー等の組み合わせである。
本実施形態の場合、システム導入時において、複数の監視対象機器３１０の各機種は、ｋ１、ｋ２、ｋ３、ｋ４の４種類のうち、いずれかの機種となっている。
同様に、システム導入時において、複数の監視対象機器３２０の各機種は、ｋ１、ｋ２、ｋ３、ｋ４の４種類のうち、いずれかの機種となっている。
同様に、システム導入時において、複数の監視対象機器３３０の各機種は、ｋ１、ｋ２、ｋ３、ｋ４の４種類のうち、いずれかの機種となっている。
【００３７】
図２に示すように、複数の監視対象機器３１０は、各運転状態に応じて、それぞれデータ列ａ１、ａ２、ａ３…を、現地データ収集装置２１０に送信する。
現地データ収集装置２１０は、各運転状態に応じて送信される各データ列ａ１、ａ２、ａ３…を収集する。現地データ列格納部２１１は、現地データ収集装置２１０が収集した各データ列ａ１、ａ２、ａ３…を格納する。
ここで、送信されるデータ列は、各監視対象機器の運転データ（運転停止、運転モード、設定温度、室温、圧縮機運転周波数、各部の温度、圧力等）であり、例えば各監視対象機器が出力するログデータである。
【００３８】
現地データ収集装置２２０も同様に、運転状態に応じて複数の監視対象機器３２０から送信される各データ列ｂ１、ｂ２、ｂ３…を収集する。そして、現地データ列格納部２２１も同様に、現地データ収集装置２２０が収集した各データ列ｂ１、ｂ２、ｂ３…を格納する。
【００３９】
現地データ収集装置２３０も同様に、運転状態に応じて複数の監視対象機器３３０から送信される各データ列ｃ１、ｃ２、ｃ３…を収集する。そして、現地データ列格納部２３１も同様に、現地データ収集装置２３０が収集した各データ列ｃ１、ｃ２、ｃ３…を格納する。
【００４０】
データ列ａ１、ａ２、ａ３…、データ列ｂ１、ｂ２、ｂ３…、データ列ｃ１、ｃ２、ｃ３…は、いずれも生の工学値からなるデータ列である。すなわち、データ列ａ１、ａ２、ａ３…、データ列ｂ１、ｂ２、ｂ３…、データ列ｃ１、ｃ２、ｃ３…は、各監視対象機器の出力形式のデータ列となっている。
現地データ列格納部２１１、２２１、２３１は、各データ列の解釈を行わずに、各データ列を、各監視対象機器の出力形式のまま格納し、各監視対象機器の出力形式のまま中央データ収集装置１０に送信する。
【００４１】
（中央データ収集装置の構成）
中央データ収集装置の構成について、図２に沿って詳しく説明する。
中央処理部１１は、中央データ列格納部１１１、変換ツール格納部１１２、変換処理部１１３、及び表示形式データ格納部１１４を機能的に備える。
本実施形態では、後述するプログラムを実行することにより、コンピュータを中央データ列格納部１１１、変換ツール格納部１１２、変換処理部１１３、及び表示形式データ格納部１１４として機能させている。
【００４２】
中央データ列格納部１１１は、各現地データ収集装置２１０、２２０、２３０から中央データ収集装置１０に送信されるデータ列ａ１、ａ２、ａ３…、データ列ｂ１、ｂ２、ｂ３…、データ列ｃ１、ｃ２、ｃ３…を、各監視対象機器の出力形式のまま格納する。
【００４３】
変換ツール格納部１１２は、複数の監視対象機器３１０の機種ｋ１、ｋ２、ｋ３、ｋ４に関連する各変換ツールを、予め格納している。変換ツールとしては、例えば、データ変換テーブル及び計算式が用いられる。
【００４４】
変換処理部１１３は、中央データ列格納部１１１に格納されているデータ列を関連する変換ツールによって、データ列ａ１、ａ２、ａ３…、データ列ｂ１、ｂ２、ｂ３…、データ列ｃ１、ｃ２、ｃ３…を、それぞれ表示形式データに変換する。
変換される表示形式データとしては、例えば数値データやグラフである。
【００４５】
表示形式データ格納部１１４は、変換処理部１１３によって変換された各表示形式データを格納する。表示形式データ格納部１１４は、格納された各表示形式データを、中央処理部１１の要求に応じて、モニタ１２へ送信する。
【００４６】
モニタ１２は、表示形式データ格納部１１４から送信された表示形式データを受信し、表示形式データに関連する情報を表示する。
モニタ１２に表示される情報としては、例えば数値データやグラフである。表示される数値データやグラフは、特定の現場区域の特定の監視対象機器の特定の運転状態のデータを表示するものであってもよいし、複数の現場区域、複数の監視対象機器又は複数の運転状態のデータ同士を比較表示するものであってもよい。
【００４７】
（現地データ収集装置の機能）
現地データ収集装置２１０の機能について、図３に沿って詳しく説明する。
現地データ収集装置２１０が各監視対象機器３１０から収集するデータ列は、１バイト（８ビット）を基本長としたデータ列であり、運転状態のデータ別に隙間なく並べられたデータである。本実施形態の場合、５１２バイトのデータ列を１回に収集できるデータ列としており、５１２バイトのデータ列を１０秒に１回収集している。
【００４８】
各５１２バイトのデータ列には、各監視対象機器３１０の１つまたは複数の運転データが含まれている。
監視対象機器に関する情報を解釈するには、例えば、５１２バイトのデータ列から、各運転データについての所定のデータ長（１ビット、１バイト、２バイト、４バイト等）の数値データ、単位（℃、Ｐａ、Ｈｚ、パルス、Ａ、ｄｅｇ、Ｈｒ等）、符号（±）の有無を読み取る必要がある。また、各数値データの乗数（×１０００、×０．００１、×２等）を定義する必要がある。
他方で、５１２バイトのデータ列のうち、どのデータが含まれるか、どのデータが何バイト占めているか、各データがどのような順で並んでいるかは、監視対象機器の機種によって異なっている。また、各数値データの乗数も監視対象機器の機種によって異なっている。
【００４９】
現地データ収集装置２１０の現地データ列格納部２１１は、現地データ収集装置２１０が収集した各データ列ａ１、ａ２、ａ３…を、監視対象機器３１０別（データ列ａ１、ａ２、ａ３…別）に格納する。
【００５０】
また、現地データ列格納部２１１は、各データ列ａ１、ａ２、ａ３…を、現地データ収集装置２１０が収集した時系列順で格納する。
例えば、現地データ列格納部２１１は、時刻００時００分００秒（００：００：００）から時刻００時００分１０秒（００：００：１０）の間に、現地データ収集装置２１０が収集した最初の５１２バイトのデータ列を格納する。続いて、現地データ列格納部２１１は、時刻００時００分１０秒から時刻００時００分２０秒（００：００：２０）の間に、現地データ収集装置２１０が収集した２つ目の５１２バイトのデータ列を格納する。続いて、現地データ列格納部２１１は、時刻００時００分２０秒から時刻００時００分３０秒（００：００：３０）の間に、現地データ収集装置２１０が収集した３つ目の５１２バイトのデータ列を順次格納する。さらに、時刻００時００分３０秒から時刻００時００分４０秒（００：００：４０）の間に、現地データ収集装置２１０が収集した４つ目の５１２バイトのデータ列を格納する。
【００５１】
現地データ列格納部２１１は、例えば、図３の右下図に示すような格納構造で各データ列ａ１、ａ２、ａ３…を格納する。同図において、各５１２バイトのデータ列の左側に示す数字は、現地データ収集装置２１０が各５１２バイトのデータ列を収集した時刻を示す。
現地データ列格納部２１１は、各データ列を蓄積する。本実施形態では、現地データ列格納部２１１は、時刻００時００分００秒から時刻２４時００分００秒（２４：００：００）にわたって２４時間分の各データ列ａ１、ａ２、ａ３…を蓄積する。
現地データ列格納部２１１は、２４時間分の各データ列ａ１、ａ２、ａ３…を蓄積し、２４時間に１回、中央データ収集装置１０に送信する。現地データ列格納部２１１は、２４時間分の各データ列ａ１、ａ２、ａ３…を、各監視対象機器３１０の出力形式のまま、中央データ収集装置１０に送信する。
【００５２】
変形例として、現地データ列格納部２１１は、２４時間分の各データ列ａ１、ａ２、ａ３…を、各監視対象機器３１０の出力形式のまま、それぞれ１つのファイルデータにまとめて、中央データ収集装置１０に送信してもよい。他の変形例として、現地データ列格納部２１１は、２４時間分の各データ列ａ１、ａ２、ａ３…を、各監視対象機器３１０の出力形式のまま、それぞれ１つのファイルフォルダでまとめて、中央データ収集装置１０に送信してもよい。
【００５３】
現地データ列格納部２１１が、各監視対象機器３１０の出力形式のまま、２４時間分の各データ列ａ１、ａ２、ａ３…を、中央データ収集装置１０に送信すると、どのデータ列がいつ収集されたデータに対応するのか、どのデータ列がどの監視対象機器で収集されたデータに対応するのか、が不明となる場合がある。そのような場合は、５１２バイトの各データ列のうち、先頭データ（例えば、図３のハッチング部のデータ）を、各収集時刻（現地データ収集装置が収集する時刻）や各監視対象機器の識別データとしてもよい。先頭データを、各収集時刻や各監視対象機器の識別データとすることによって、中央データ収集装置１０は、各データ列の現地データ収集装置２１０における収集時刻や各データ列を出力した監視対象機器を識別することができる。
各データ列ａ１、ａ２、ａ３…を、１つのファイルデータやフォルダにまとめる場合、現地データ列格納部２１１は、各ファイルや各フォルダに各監視対象機器の識別データを書き込んでもよい。
【００５４】
以上、現地データ収集装置２１０の機能について詳しく説明したが、現地データ収集装置２２０及び２３０も現地データ収集装置２１０と同様な機能を有する。
【００５５】
（中央データ収集装置の機能）
中央データ収集装置の機能について、図４に沿って詳しく説明する。
【００５６】
上述のとおり、１つのデータ列（５１２バイトのデータ列）のうち、どのデータが含まれるか、どのデータが何バイト占めているか、各データがどのような順で並んでいるかは、監視対象機器の機種によって異なる。また、各数値データの乗数も監視対象機器の機種によって異なっている。
したがって、変換処理部１１３は、各データ列を変換するには、各データ列を送信した監視対象機器の機種を特定し、当該機種に関連する変換ツールによって、表示形式データに変換する必要がある。そこで中央データ収集装置は、以下のように機能する。
【００５７】
まず、中央データ列格納部１１１は、格納されたデータ列を変換処理部１１３に送信する。
【００５８】
続いて変換処理部１１３は、中央データ列格納部１１１からデータ列を受信すると、受信したデータ列を受信する順序、受信したデータ列に付された識別情報等から、監視対象機器を特定する。
他方、変換処理部１１３は、各監視対象機器と各監視対象機器の機種との対応関係を予め記憶している。それにより、特定した監視対象機器から、受信したデータ列を送信した監視対象機器の機種を特定する。
次に、変換処理部１１３は、特定した当該機種に関連する変換ツールを、変換ツール格納部１１２から読み出す。そして、変換処理部１１３は、読み出した変換ツールを用いて、各監視対象機器の出力形式の各データ列を、表示形式データに変換する。
【００５９】
例えば、データ列ａ１を送信した監視対象機器３１０が機種ｋ１の場合、変換処理部１１３は、データ列ａ１を受信すると、機種ｋ１を特定する。次に、変換処理部１１３は、機種ｋ１に関連する変換ツールを、変換ツール格納部１１２から読み出す。そして、変換処理部１１３は、読み出した変換ツールを用いて、機種ｋ１の監視対象機器３１０の出力形式のデータ列ａ１を、表示形式データＡ１に変換する。
また、データ列ａ２を送信した監視対象機器３１０が機種ｋ４の場合、変換処理部１１３は、データ列ａ２を受信すると、機種ｋ４を特定する。次に、変換処理部１１３は、機種ｋ４に関連する変換ツールを、変換ツール格納部１１２から読み出す。そして、変換処理部１１３は、読み出した変換ツールを用いて、機種ｋ４の監視対象機器３１０の出力形式のデータ列ａ２を、表示形式データＡ２に変換する。
【００６０】
このように、変換処理部１１３は、各データ列ａ１、ａ２、ａ３…を、それぞれのデータ列に関連する変換ツールを用いて、それぞれ表示形式データＡ１、Ａ２、Ａ３…に変換する。同様に、変換処理部１１３は、各データ列ｂ１、ｂ２、ｂ３…を、それぞれに関連する変換ツールを用いて、それぞれ表示形式データＢ１、Ｂ２、Ｂ３…に変換する。また同様に、変換処理部１１３は、各データ列ｃ１、ｃ２、ｃ３…を、それぞれに関連する変換ツールを用いて、それぞれ表示形式データＣ１、Ｃ２、Ｃ３…に変換する。
【００６１】
変換処理部１１３は、各変換ツールとして、特定した機種に関連するデータ変換テーブル及び特定した機種に関連する計算式を用いる場合、変換処理部１１３は、以下のように監視対象機器の出力形式のデータ列を表示形式データに変換する。
データ変換テーブルは、監視対象機器の出力形式のデータ列を、対応する所定のデータ長（１ビット、１バイト、２バイト、４バイト等)の数値データ、単位（℃、Ｐａ、Ｈｚ、パルス、Ａ、ｄｅｇ、Ｈｒ等）データ及び符号（±）の有無を示すデータに置き換える。計算式は、各数値データの乗数を定義する。
【００６２】
機種ｋ２であると特定された監視対象機器の出力形式のデータ列であれば、変換処理部１１３は、機種ｋ２に関連するデータ変換テーブルを読み出し、機種ｋ２に関連する計算式を読み出す。ここで例えば、読み出された計算式が「×０．１」とする。
機種ｋ２に関連するデータ変換テーブルで変換した結果、監視対象機器の出力形式のデータ列が、例えば「２５１」、「℃」、「＋」に置き換えられる。そして、置き換えられた当該データは、読み出された計算式「×０．１」と合わせて、「＋２５．１℃」という表示形式データに変換される。
【００６３】
ここで、監視対象機器の出力形式の各データ列（５１２バイトの各データ列）に複数の運転データが含まれる場合、データ変換テーブルは、１つのデータ列から各運転データの数値データ、単位データ及び符号（±）の有無を示すデータを出力する。また、計算式は、各数値データの乗数を定義する。
【００６４】
変換処理部１１３で変換された表示形式データＡ１、Ａ２、Ａ３…、表示形式データＢ１、Ｂ２、Ｂ３…、表示形式データＣ１、Ｃ２、Ｃ３…は、表示形式データ格納部１１４に格納され、同時に又は格納後、モニタ１２に送信される。
【００６５】
（新機種の監視対象機器の追加）
現地において、新機種の監視対象機器を追加した場合について図５に沿って説明する。
例えば、現場区域Ａにおいて、データ列ａ１を送信する監視対象機器３１０に代えて、データ列ａ１’を送信する新機種ｋ５の監視対象機器を導入する場合について説明する。
この場合、現地データ収集装置２１０を改修することなく、中央データ収集装置１０を改修することによって対応することができる。
具体的には、変換ツール格納部１１２に、新機種ｋ５に関連する変換ツールを追加すると共に、新機種ｋ５を特定できるように変換処理部１１３を改修する。
【００６６】
本実施形態の場合、プログラムを実行することにより、中央データ収集装置１０のコンピュータを、変換ツール格納部１１２、変換処理部１１３として機能させている。したがって、中央データ収集装置１０のコンピュータのプログラムを書き換えることによって、変換ツール格納部１１２及び変換処理部１１３を新機種ｋ５に対応するように改修することができる。
【００６７】
新機種ｋ５に対応する改修を行うことによって、当該改修後、変換処理部１１３は、データ列ａ１’を受信すると、新機種ｋ５を特定し、新機種ｋ５に関連する変換ツールを変換ツール格納部１１２から読み出す。そして、変換処理部１１３は、読み出した変換ツールを用いて、新機種ｋ５の出力形式のデータ列ａ１’を表示形式データＡ１’に変換する。
【００６８】
新機種を追加する作業は、上記説明のように、各現場区域において、複数の監視対象機器の一部に代えて、新機種の監視対象機器を導入する場合であってもよいし、複数の監視対象機器に加えて、新機種の監視対象機器を導入する場合であってもよい。
さらに、各現場区域において、監視対象機器の機種を増やす場合も同様である。すなわち、現地データ収集装置を改修することなく、変換ツール格納部に、増やす機種に関連する変換ツールを追加すると共に、増やす機種を特定できるように変換処理部を改修すればよい。
【００６９】
（遠隔監視システムの作用及び効果）
本実施形態の遠隔監視システムの作用及び効果について説明する。
遠隔監視システム１は、監視対象機器３１０、３２０、３３０が出力する各データ列を、現地データ収集装置２１０、２２０、２３０ではなく、中央データ収集装置１０で、表示形式データに変換する。すなわち、遠隔監視システム１は、中央データ収集装置１０で、監視対象機器３１０、３２０、３３０に関する情報の解釈を行う。
このため、現地において監視対象機器３１０、３２０、３３０の機種を増やしたり、新機種の監視対象機器３１０、３２０、３３０を追加したりしても、中央データ収集装置１０の改修作業で対応することができるため、遠隔監視システム１は、現地データ収集装置２１０、２２０、２３０の改修作業を軽減できる。
具体的には、遠隔監視システム１は、現地データ収集装置２１０、２２０、２３０の機能増加に伴う収集装置のプログラム書換え作業を軽減することができ、機能増加に伴うメモリ増加といったハードウェアの改造作業を軽減することができる。
【００７０】
また、遠隔監視システム１は、各データ列を表示形式データに変換する変換ツールを、中央データ収集装置１０で一元管理することができるので、新機種の追加、監視対象機器の機種の増加に、短時間に効率良く対応できる。
さらに、現地データ収集装置２１０、２２０、２３０と中央データ収集装置１０の間の通信データは、解釈される前の生の工学値であるため、たとえ傍受されたとしても解釈が困難であり、遠隔監視システム１は、情報漏洩のリスクを低減できる。
【００７１】
さらに、中央データ収集装置１０が収集する各データ列のデータ形式は、各監視対象機器３１０、３２０、３３０の出力形式である。このため、中央データ収集装置１０は、各監視対象機器３１０、３２０、３３０が出力する各データ列を、各監視対象機器３１０、３２０、３３０の出力形式のまま収集するため、遠隔監視システム１は、現地データ収集装置２１０、２２０、２３０で各データ列のデータ形式を変換する必要がない。したがって、現地において監視対象機器３１０、３２０、３３０の機種を増やしたり、新機種の監視対象機器を追加したりしても、現地データ収集装置２１０、２２０、２３０ではデータ形式の変換を行わないので、遠隔監視システム１は、現地データ収集装置２１０、２２０、２３０の改修作業を軽減できる。
【００７２】
変換処理部１１３で表示形式データが、文字又はグラフに変換されるため、遠隔監視システム１は、データ列を、文字又はグラフを表示する際に適した形式データに変換する。したがって、遠隔監視システム１は、文字又はグラフを表示するのに適している。
【００７３】
変換ツールとして、各データ列から表示形式データへの変換に、データ変換テーブル及び計算式を用いるため、中央データ収集装置１０は、データ量の少ないデータ列から、多くの情報を有する表示形式データを取得することができる。したがって、遠隔監視システム１は、短い通信時間でありながら多くの情報を現地データ収集装置２１０、２２０、２３０から、中央データ収集装置１０に送信することができる。
【００７４】
現地データ列格納部２１１、２２１、２３１は、各データ列を蓄積し、所定時間間隔で各データ列を中央データ収集装置１０に送信するため、蓄積された各データ列を所定時間間隔で現地データ収集装置２１０、２２０、２３０から中央データ収集装置１０に送信することができる。
ルータ、現地インターネットサービスプロバイダー、現地データ収集装置、中央データ収集装置、又は通信経路における通信遮断や通信異常（通信障害、通信ノイズ等）があると、中央データ収集装置１０と各現地データ収集装置２１０、２２０、２３０との間で通信できない時間帯が発生する可能性がある。
上記のとおり本実施形態では、現地データ列格納部２１１、２２１、２３１が、各データ列を蓄積し、所定時間間隔で各データ列を中央データ収集装置１０に送信する。これによって、遠隔監視システム１は、通信できない時間を回避して、蓄積された各データ列を現地データ収集装置２１０、２２０、２３０から中央データ収集装置１０に送信することができる。
したがって、現地データ収集装置２１０、２２０、２３０から中央データ収集装置１０にデータ列を転送できない時間帯があっても、遠隔監視システム１は、転送できない時間帯において、現地データ収集装置２１０、２２０、２３０に各データ列を蓄積しておくことができる。そして、遠隔監視システム１は、当該転送できない時間帯の後に、現地データ収集装置２１０、２２０、２３０から中央データ収集装置１０に各データ列を送信することができる。
【００７５】
＜第二実施形態＞
本発明に係る遠隔監視システムの第二実施形態について、図６を参照して説明する。
【００７６】
本実施形態の遠隔監視システムは、第一実施形態と基本的に同じであるが、現地データ収集装置が表示形式データ受信部をさらに備える点が異なっている。
【００７７】
図６に示すように、遠隔監視システム１’は、中央データ収集装置１０’と、現地データ収集装置２１０’、２２０’及び２３０’と、を備える。
【００７８】
現地データ収集装置２１０’は、現地データ列格納部２１１及び表示形式データ受信部２１２を備える。現地データ列格納部２１１は、中央データ収集装置１０’にデータ列ａ１、ａ２、ａ３…を、各監視対象機器の出力形式のまま送信する。
現地データ収集装置２２０’は、現地データ列格納部２２１及び表示形式データ受信部２２２を備える。現地データ列格納部２２１は、中央データ収集装置１０’にデータ列ｂ１、ｂ２、ｂ３…を、各監視対象機器の出力形式のまま送信する。
現地データ収集装置２３０’は、現地データ列格納部２３１及び表示形式データ受信部２３２を備える。現地データ列格納部２３１は、中央データ収集装置１０’にデータ列ｃ１、ｃ２、ｃ３…を、各監視対象機器の出力形式のまま送信する。
【００７９】
本実施形態では、後述するプログラムを実行することにより、現地データ収集装置２１０’のコンピュータを、現地データ列格納部２１１及び表示形式データ受信部２１２として機能させている。現地データ収集装置２２０’においても同様に、現地データ収集装置２２０’のコンピュータを、現地データ列格納部２２１及び表示形式データ受信部２２２として機能させている。現地データ収集装置２３０’においても同様に、現地データ収集装置２３０’のコンピュータを現地データ列格納部２３１及び表示形式データ受信部２３２として機能させている。
【００８０】
本実施形態の遠隔監視システム１’も、３つの現地データ収集装置を備えるが、現地データ収集装置は３つに限らず、いくつであってもよい。すなわち、遠隔監視システム１’は、１つだけ現地データ収集装置を備えるものでもあってもよいし、２つ又は４つ以上の現地データ収集装置を備えるものであってもよい。
【００８１】
中央データ収集装置１０’は、中央処理部１１’と、モニタ１２と、を備える。
中央処理部１１’は、中央データ列格納部１１１、変換ツール格納部１１２、変換処理部１１３、及び表示形式データ格納部１１４’を機能的に備える。
本実施形態では、後述するプログラムを実行することにより、コンピュータを中央データ列格納部１１１、変換ツール格納部１１２、変換処理部１１３、及び表示形式データ格納部１１４’として機能させている。
【００８２】
表示形式データ格納部１１４’は、変換処理部１１３によって変換された各表示形式データを格納する。表示形式データ格納部１１４’は、格納された各表示形式データを、中央処理部１１’の要求に応じて、モニタ１２へ送信する。
【００８３】
さらに、表示形式データ格納部１１４’は、格納された各表示形式データを、各表示形式データの基となるデータ列を送信した現地データ収集装置に送信する。
具体的には、表示形式データ格納部１１４’は、表示形式データＡ１、Ａ２、Ａ３…を現地データ収集装置２１０’へ送信し、表示形式データＢ１、Ｂ２、Ｂ３…を現地データ収集装置２２０’へ送信し、表示形式データＣ１、Ｃ２、Ｃ３…を現地データ収集装置２３０’に送信する。
【００８４】
現地データ収集装置２１０’の表示形式データ受信部２１２は、表示形式データ格納部１１４’から送信された表示形式データＡ１、Ａ２、Ａ３…を受信する。同様に、現地データ収集装置２２０’の表示形式データ受信部２２２は、表示形式データＢ１、Ｂ２、Ｂ３…を受信し、現地データ収集装置２３０’の表示形式データ受信部２３２は、表示形式データＣ１、Ｃ２、Ｃ３…を受信する。
【００８５】
遠隔監視システム１’の作用及び効果について説明する。
現地データ収集装置ではなく、中央データ収集装置で、監視対象機器に関する情報の解釈を行うと、現地データ収集装置において、監視対象機器に関する情報を解釈することが困難である。
遠隔監視システム１’は、中央データ収集装置１０’で変換した表示形式データを、各現地データ収集装置で受信することができる。したがって、利用者は、各現場区域において、監視対象機器に関する情報を解釈することができる。
【００８６】
＜遠隔監視方法＞
本発明に係る各実施形態の遠隔監視方法について、図７を参照して説明する。
【００８７】
まず、監視対象機器がそれぞれ設置される現場区域に配置された現地データ収集装置は、監視対象機器が、運転状態に応じて出力するデータ列を収集する（Ｓ１：現地データ収集ステップ）。
現地データ収集ステップＳ１を実行した後に、中央データ収集装置は、現地データ収集装置から、データ列を収集する（Ｓ２：中央データ収集ステップ）。
中央データ収集ステップＳ２を実行した後、中央データ収集装置は、監視対象機器の機種別の変換ツールのうち、データ列に関連する変換ツールを用いて、データ列を表示形式データに変換する（Ｓ３：データ変換ステップ）。
データ変換ステップＳ３を実行した後、変換された表示形式データをモニタに表示する（Ｓ４：データ表示ステップ）。
そして、図７に示すように再び現地データ収集ステップＳ１に戻って、同様にＳ１〜Ｓ４の処理を繰り返す。
利用者によって遠隔監視システムに終了指示が入力されると、Ｓ１〜Ｓ４の繰り返し処理は終了する。
【００８８】
なお、上述の各実施形態においては、中央処理部や現地データ収集装置の各種機能を実現するためのプログラムを、コンピュータ読み取り可能な記録媒体に記録して、この記録媒体に記録されたプログラムをコンピュータシステムに読み込ませ、実行することにより各種処理を行うものとしている。ここで、上述した各ＣＰＵの各種処理の過程は、プログラムの形式でコンピュータ読み取り可能な記録媒体に記憶されており、このプログラムをコンピュータが読み出して実行することによって上記各種処理が行われる。また、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００８９】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【００９０】
各実施形態の変形例として、遠隔監視システムは、各監視対象機器の異常報知を受け付けてもよい。
例えば、図８に示すように、監視対象機器３１０の１つに異常が発生し、監視対象機器３１０が異常信号ｅｒｒｏｒ１を報知する場合、遠隔監視システム１’’は、監視対象機器３１０の異常信号ｅｒｒｏｒ１を受け付ける。
異常信号ｅｒｒｏｒ１を受け付けた遠隔監視システム１’’は、現地データ収集装置２１０で異常信号ｅｒｒｏｒ１を解釈や蓄積することなく、直ちに中央データ収集装置１０に報告する。図８に示すように、中央データ収集装置１０への報告として、遠隔監視システム１’’は、受け付けた異常信号ｅｒｒｏｒ１をモニタ１２に送信している。モニタ１２は、異常信号ｅｒｒｏｒ１を受信すると、直ちに監視対象機器３１０の異常を表示する。本変形例によれば、遠隔監視システム１’’は、監視対象機器の異常報告を解釈や蓄積することなく、直ちに監視対象機器の異常を表示するので、使用者は、監視対象機器の異常を、遅れなくリアルタイムで確認することができる。
【００９１】
他の変形例として、遠隔監視システムは、中央データ収集装置において、各監視対象機器の各運転データの異常検出を行ってもよい。
中央データ収集装置には、各現地データ収集装置に集められた各監視対象機器の各運転データが集約される。このため、中央データ収集装置において、各機種別の異常判断基準（例えば、各機種別のしきい値）を用いて異常検出を行えば、各監視対象機器の各運転データの異常を、機種固有の判断基準で判断することができる。さらに集約された各運転データを用いて、各機種別の異常判断基準を学習させることもできる。
【００９２】
本実施形態では、現地データ収集装置が各監視対象機器から、１回に収集できる各データ列を５１２バイトのデータ列としたが、データ列のサイズは５１２バイトに限られず、より小さいサイズやより大きいサイズであってもよい。
【００９３】
本実施形態では、現地データ収集装置は、複数の監視対象機器と接続されているが、変形例として、現地データ収集装置は、１つの監視対象機器だけと通信可能に接続されていてもよい。
【００９４】
本実施形態では、遠隔監視システムの各現地データ収集装置は、中央データ収集装置に対して遠隔地にある。変換ツールの中央データ収集装置で一元管理、現地データ収集装置と中央データ収集装置の間の通信データ情報漏洩のリスク及び現地データ収集装置の改修作業の軽減を目的とするなら、変形例として、遠隔監視システムは、近隣にある現地データ収集装置を含んでもよい。
【００９５】
本実施形態では、複数の監視対象機器が、空調機、冷凍機、給湯器、ボイラー等の組み合わせとしたが、監視対象機器は、当該組み合わせに限られない。例えば、複数の監視対象機器は、複数の機種からなる空調機の組み合わせであってもよい。
【符号の説明】
【００９６】
１：遠隔監視システム
１’：遠隔監視システム
１’’：遠隔監視システム
１０：中央データ収集装置
１０’：中央データ収集装置
１１：中央処理部
１１’：中央処理部
１２：モニタ
１１１：中央データ列格納部
１１２：変換ツール格納部
１１３：変換処理部
１１４：表示形式データ格納部
１１４’：表示形式データ格納部
２１０：現地データ収集装置
２１０’：現地データ収集装置
２１１：現地データ列格納部
２１２：表示形式データ受信部
２２０：現地データ収集装置
２２０’：現地データ収集装置
２２１：現地データ列格納部
２２２：表示形式データ受信部
２３０：現地データ収集装置
２３０’：現地データ収集装置
２３１：現地データ列格納部
２３２：表示形式データ受信部
３１０：監視対象機器
３２０：監視対象機器
３３０：監視対象機器
４１０：ルータ
４２０：ルータ
４３０：ルータ
５１０：現地インターネットサービスプロバイダー
５２０：現地インターネットサービスプロバイダー
５３０：現地インターネットサービスプロバイダー
【図１】
2018074507.tif 000003
【図２】
2018074507.tif 000004
【図３】
2018074507.tif 000005
【図４】
2018074507.tif 000006
【図５】
2018074507.tif 000007
【図６】
2018074507.tif 000008
【図７】
2018074507.tif 000009
【図８】
2018074507.tif 000010